(57)【要約】【課題】電動パンチ装置において、打抜き刃が交換時期を迎えた事を使用者に知らせる事を可能とする。【解決手段】電動パンチ装置の打抜き刃が上下する１サイクルを１カウントとし回数を数え、該打抜き刃の寿命を装置の使用回数に置換えた数値と比較し、該回数が該数値以上となった時に、該打抜き刃の交換を使用者に促すため、ランプやブザーやスピーカー等を使用して光や音や音声等で知らせる。【選択図】図１
0003138339.tif 000002
【実用新案登録請求の範囲】
【請求項１】
モーターの駆動により打抜き刃を上下させ、複数に重ねた用紙に一括してパンチ穴を開ける電動パンチであり、パンチ穴を開ける該打抜き刃が摩耗等により交換が必要となる時期を使用者に知らせる表示装置が付いている事を特徴とするメンテナンス表示機能付き電動パンチ装置。
【請求項２】
請求項１記載の表示装置は、打抜き刃が上下する回数をカウントするカウント手段と、打抜き刃の交換時期を回数に置き換えて記憶する記憶手段と、該カウント手段と該記憶手段の回数情報を比較する判定手段とを持ち、該カウント手段の回数が該記憶手段の回数以上となった時に該判定手段から信号が出力され、ランプやブザーやスピーカー等を動作させて、該打抜き刃が交換時期となった事を使用者に光や音や音声で知らせる事を特徴とする請求項１記載のメンテナンス表示機能付き電動パンチ装置。
【請求項３】
請求項２記載の表示装置は、パソコン等との通信手段を持ち、打抜き刃が上下する回数をカウントするカウント手段の回数値を該パソコン等にデータ送信する機能、及び該打抜き刃の交換時期を回数に置き換えて記憶する記憶手段に記憶する数値を該パソコン等からデータ受信して書き換える機能等を有する事を特徴とする請求項１記載のメンテナンス表示機能付き電動パンチ装置。
【請求項４】
請求項２記載の表示装置が持つカウント手段と記憶手段にて管理される回数と数値情報は、停電や電源ＯＦＦとなっても情報が消えないようメモリーバックアップされている事を特徴とする請求項１記載のメンテナンス表示機能付き電動パンチ装置。
【考案の詳細な説明】
【技術分野】
【０００１】
本考案は、電動パンチ装置に関するものである。
【背景技術】
【０００２】
モーターの駆動により打抜き刃を上下させ、複数に重ねた用紙に一括してパンチ穴を開けるような電動パンチ装置は、従来から有るが、該打抜き刃は、使用を重ねる毎に刃の摩耗が進み、そのまま使用し続けると、該電動パンチ装置の本体に無理な負荷がかかる事となり、故障の原因となっていた。しかし、該打抜き刃の交換時期を知らせるような表示装置が付いた物は無く、該電動パンチ装置の動作に異変が発生してからでないとわからないという欠点があった。
【考案の開示】
【考案が解決しようとする課題】
【０００３】
解決しようとする問題点は、打抜き刃が交換の時期を迎えている事を事前に確認できない点である。
【課題を解決するための手段】
【０００４】
本考案は、電動パンチ装置の使用回数をカウントし、カウント回数が予め設定した回数以上となった時に打抜き刃の交換時期と予測し、使用者に対し、該打抜き刃の交換を促す表示を行う事を最も主要な特徴とする。
【考案の効果】
【０００５】
本考案のメンテナンス表示機能付き電動パンチ装置は、消耗部品である打抜き刃が摩耗して使用不能となる前に使用者に対し交換を促す表示を行うため、確実なメンテナンス管理ができ、電動パンチ装置に無理な負荷をかける事が無いので故障を防止でき、安全に長期的な使用が可能となる。
【考案を実施するための最良の形態】
【０００６】
装置の使用回数をカウントし監視するという目的を、マイコンを使用する事により最少の部品点数で実現した。
【実施例１】
【０００７】
図１は、本考案装置の１実施例の図であって、１は電動パンチ装置本体、２は表示装置、３〜９は表示装置２の回路構成となり、３はカウント手段、４は記憶手段、５は判定手段、６は表示手段、７は通信手段、８は回数メモリー、９は数値メモリーとなる。さらに１０は外部接続機器となる。
【０００８】
電動パンチ装置本体１からは、打抜き刃が上下する１サイクルに１回カウント用信号が出力され、該カウント用信号を表示装置２のカウント手段３が受取り、該カウント手段３は、該カウント用信号を受取る毎に回数メモリー８を＋１カウントし回数を数える。
【０００９】
記憶手段４は、数値メモリー９と連動して前記打抜き刃の寿命を装置の使用回数に置換えた数値を記憶している。
【００１０】
判定手段５は、前記カウント手段３から送られてくる前記回数と、前記記憶手段４から送られてくる前記数値を監視し、前記回数が前記数値以上となった時に表示手段６に信号を送る。
【００１１】
表示手段６は、前記判定手段５からの信号を受け、前記打抜き刃の交換を使用者に促すため、ランプやブザーやスピーカー等を使用して光や音や音声等で、前記打抜き刃が交換時期を迎えた事を使用者に知らせる。
【００１２】
なお実施例では、打抜き刃を例にしたが、それ以外の消耗部品、例えば駆動用ベルト、モーター等の交換時期を知らせるようにしても良い。
【００１３】
表示装置２は、有線または無線または有線と無線両方の通信機能を持ち、外部接続機器１０とデータの双方向通信を行う事が出来る。
【００１４】
前記外部接続機器１０は、キー入力と画面表示が出来る事が望ましく、パソコンを使用している。
【００１５】
電動パンチ装置本体１が使用された回数については、カウント手段３により回数メモリー８に記憶されるが、この記憶された回数データは、通信手段７により前記外部接続機器１０、即ちパソコンの画面に表示されて現在までの使用回数がわかる。
【００１６】
なお前記使用回数は、前記打抜き刃の新品交換等によりリセットする必要が生じた場合に、前記電動パンチ装置本体１の操作だけでなく、前記外部接続機器１０のリモート操作でもリセット出来るようになっている。
【００１７】
また前記打抜き刃の寿命を判定する基準となる数値は、前記記憶手段４と連動した数値メモリー９に記憶されているが、この記憶された数値データは、通信手段７により前記外部接続機器１０、即ちパソコンの画面に表示されて現在の設定数値がわかる。
【００１８】
なお前記設定数値は、前記外部接続機器１０のリモート操作で変更が可能である。
【００１９】
前記回数メモリー８と前記数値メモリー９で管理される回数データと数値データは、停電や電源ＯＦＦでも情報が消えないようメモリーバックアップされる必要が有り、実施例では、ＥＥＰＲＯＭを使用したが、これに限定する必要は無く、例えば電池でＲＡＭをバックアップする方法等でも良い。
【００２０】
また実施例で前記外部接続機器１０は、パソコンとしたが、前記表示装置２を制御できる機器なら何でも良く、例えばＰＤＡや携帯電話等としても良い。
【産業上の利用可能性】
【００２１】
装置の使用回数により管理を行うため、抜打ち刃以外にも、消耗部品のおおよその寿命を使用回数に置換えた数値で監視すれば、該消耗部品の交換時期を使用者に知らせる事が可能となる。
【図面の簡単な説明】
【００２２】
【図１】メンテナンス表示機能付き電動パンチ装置の実施方法を示した図である。（実施例１）
【符号の説明】
【００２３】
１    電動パンチ装置本体
２    表示装置
３    カウント手段
４    記憶手段
５    判定手段
６    表示手段
７    通信手段
８    回数メモリー
９    数値メモリー
１０  外部接続機器
【図１】
0003138339.tif 000003